(57)【要約】【課題】移動機が、通信網との通信を確立した際にデータの送信又は受信を迅速に行うことである。【解決手段】本発明に係る移動機１０は、送信トレイ１２と、無線通信網検出部１６と、無線ＬＡＮ通信部１８とを少なくとも具備する。送信トレイ１２には電子メールＥが格納されている。無線ＬＡＮ通信部１８は、無線通信網検出部１６により無線ＬＡＮが検出されたことを契機として、電子メールＥを無線ＬＡＮ経由でメールサーバ１００宛に送信する。好ましくは、移動機１０は、無線通信網切替部１７と携帯電話網通信部１９とを更に具備する。無線通信網切替部１７は、無線ＬＡＮが所定時間内に検出されなかった場合に、移動機１０の接続先を無線ＬＡＮから携帯電話網に切り替える。携帯電話網通信部１９は、この切替先である携帯電話網を経由してメールサーバ１００宛に電子メールＥを送信する。【選択図】  図１
2004254115.tif 000002
【特許請求の範囲】
【請求項１】
データを格納する格納手段と、
第１の通信網を検出する検出手段と、
前記検出手段により第１の通信網が検出されたことを契機として、前記格納手段に格納されているデータを前記第１の通信網を経由して送信する第１の送信手段とを備えることを特徴とする移動機。
【請求項２】
前記検出手段により前記第１の通信網が所定時間内に検出されなかった場合に、前記第１の通信網とは異なる第２の通信網に当該移動機の接続先を切り替える切替手段と、
前記切替手段による切替先である前記第２の通信網を経由して前記データを送信する第２の送信手段とを更に備えることを特徴とする請求項１に記載の移動機。
【請求項３】
取得対象となるデータを指定する指定手段と、
第１の通信網を検出する検出手段と、
前記検出手段により第１の通信網が検出されたことを契機として、前記指定手段により指定されたデータを前記第１の通信網を経由して受信する第１の受信手段とを備えることを特徴とする移動機。
【請求項４】
前記検出手段により前記第１の通信網が所定時間内に検出されなかった場合に、前記第１の通信網とは異なる第２の通信網に当該移動機の接続先を切り替える切替手段と、
前記切替手段による切替先である前記第２の通信網を経由して前記データを受信する第２の受信手段とを更に備えることを特徴とする請求項３に記載の移動機。
【請求項５】
前記通信網は、無線通信網であることを特徴とする請求項１〜４の何れか一項に記載の移動機。
【請求項６】
前記第１の通信網は無線ＬＡＮであり、前記第２の通信網は移動体通信網であることを特徴とする請求項２又は４に記載の移動機。
【請求項７】
移動機が、第１の通信網を検出する検出ステップと、
前記移動機が、前記検出ステップにて第１の通信網が検出されたことを契機として、前記移動機の格納手段に格納されているデータを前記第１の通信網を経由して送信する第１の送信ステップとを含むことを特徴とする通信制御方法。
【請求項８】
移動機が、第１の通信網を検出する検出ステップと、
前記移動機が、前記検出ステップにて第１の通信網が検出されたことを契機として、前記移動機の指定手段により指定されたデータを前記第１の通信網を経由して受信する第１の受信ステップとを含むことを特徴とする通信制御方法。
【請求項９】
第１の通信網を検出する検出処理と、前記検出処理により第１の通信網が検出されたことを契機として、前記移動機の格納手段に格納されているデータを前記第１の通信網を経由して送信する送信処理とを移動機に実行させることを特徴とする通信制御プログラム。
【請求項１０】
第１の通信網を検出する検出処理と、
前記検出処理により第１の通信網が検出されたことを契機として、移動機の指定手段により指定されたデータを前記第１の通信網を経由して受信する受信処理とを移動機に実行させることを特徴とする通信制御プログラム。
【発明の詳細な説明】
【０００１】
【発明の属する技術分野】
本発明は、移動機、通信制御方法、及び通信制御プログラムに関する。
【０００２】
【従来の技術】
従来、無線通信技術の発達に伴い、携帯電話などの移動機の位置を監視する機能を有する移動体通信網が提案されている。また、かかる監視機能を利用して、基地局との通信圏外から通信圏内に移動機が移行した際に、移動体通信網が、この旨を固定電話網を介して発信者の電話機に通知する移動体端末追跡呼び出し方法が提案されている（例えば、特許文献１。）。
【０００３】
【特許文献１】
特開２００１−２５１６８２号公報  （第１−２頁、図１）
【０００４】
【発明が解決しようとする課題】
しかしながら、上記従来技術では、移動機が通信圏内に移行したことが発信者の電話機に通知されるのみであり、着信者の移動機側では、通信圏内への移行は認識されず、従って、移動機は電話機に対して何ら能動的なアクションを行うものではない。このため、例え移動機が通信圏内に移行して通信網との通信が確立されても、発信者による上記通知の認識及び発信操作、電話機による再発信処理を少なくとも経ない限り、移動機と電話機との間における通信は開始されない。
また、上記従来技術は主に、高い即時性が要求される音声通信を想定したものであり、待時式の通信であるデータ通信への適用を想定したものではない。
【０００５】
そこで、本発明の課題は、移動機が、通信網との通信を確立した際にデータの送信又は受信を迅速に行うことである。
【０００６】
【課題を解決するための手段】
上記課題を解決するために、本発明に係る移動機は、データを格納する格納手段と、第１の通信網を検出する検出手段と、前記検出手段により第１の通信網が検出されたことを契機として、前記格納手段に格納されているデータを前記第１の通信網を経由して送信する第１の送信手段とを備える。
【０００７】
本発明に係る通信制御方法は、移動機が、第１の通信網を検出する検出ステップと、前記移動機が、前記検出ステップにて第１の通信網が検出されたことを契機として、前記移動機の格納手段に格納されているデータを前記第１の通信網を経由して送信する第１の送信ステップとを含む。
【０００８】
本発明に係る通信制御プログラムは、第１の通信網を検出する検出処理と、前記検出処理により第１の通信網が検出されたことを契機として、前記移動機の格納手段に格納されているデータを前記第１の通信網を経由して送信する送信処理とを移動機に実行させる。
【０００９】
本発明に係る移動機とは、ユーザによる携帯が可能な、通信機能を有する情報機器であり、例えば、携帯電話、ＰＤＡ（Ｐｅｒｓｏｎａｌ  Ｄｉｇｉｔａｌ  Ａｓｓｉｓｔａｎｔｓ）、ＰＣ（Ｐｅｒｓｏｎａｌ  Ｃｏｍｐｕｔｅｒ）である。
【００１０】
これらの発明によれば、格納手段に格納されているデータは、第１の通信網が検出されたことを契機として、第１の通信網を経由して送信される。すなわち、移動機の保持するデータに関して、保持された時点においては第１の通信網との接続が依然確立されておらず送信が不可能な状態にあったとしても、移動機の移動や電界強度の上昇に伴って第１の通信網との接続が確立され送信が可能になることがある。かかる通信状態の変化を移動機が検知すると、格納手段からデータが即時に取得され、第１の通信網で送信される。その結果、移動機が、通信網との通信を確立した際にデータの送信を迅速に行うことが可能となる。
【００１１】
本発明に係る移動機においては、前記検出手段により前記第１の通信網が所定時間内に検出されなかった場合に、前記第１の通信網とは異なる第２の通信網に当該移動機の接続先を切り替える切替手段と、前記切替手段による切替先である前記第２の通信網を経由して前記データを送信する第２の送信手段とを更に備えるものとしてもよい。
【００１２】
上述した通信制御方法においては、前記検出ステップにて前記第１の通信網が所定時間内に検出されなかった場合に、前記移動機が、前記第１の通信網とは異なる第２の通信網に当該移動機の接続先を切り替える切替ステップと、前記移動機が、前記切替ステップにおける切替先である前記第２の通信網を経由して前記データを送信する第２の送信ステップとを更に含むものとしてもよい。
【００１３】
これらの発明によれば、第１の通信網が所定時間内に検出されなかった場合には移動機の接続先の網は第２の通信網に切り替えられ、格納手段に格納されているデータは、この第２の通信網経由で送信される。すなわち、移動機の保持するデータに関して、保持された時点から所定時間経過するまでの間は第１の通信網との接続が確立されておらず送信が不可能な状態にあったとしても、第２の通信網への接続先の切替えに伴って第２の通信網との接続が確立され送信が可能になることがある。かかる状態の変化を移動機が検知すると、格納手段からデータが即時に取得され、第２の通信網経由で送信される。つまり、移動機は、状況に応じて、第２の通信網を補完的に使用することで、迅速なデータ送信をより確実に行うことが可能となる。
【００１４】
本発明に係る移動機は、取得対象となるデータを指定する指定手段と、第１の通信網を検出する検出手段と、前記検出手段により第１の通信網が検出されたことを契機として、前記指定手段により指定されたデータを前記第１の通信網を経由して受信する第１の受信手段とを備える。
【００１５】
上述した通信制御方法は、移動機が、第１の通信網を検出する検出ステップと、前記移動機が、前記検出ステップにて第１の通信網が検出されたことを契機として、前記移動機の指定手段により指定されたデータを前記第１の通信網を経由して受信する第１の受信ステップとを含むものとしてもよい。
【００１６】
本発明に係る通信制御プログラムは、第１の通信網を検出する検出処理と、前記検出処理により第１の通信網が検出されたことを契機として、移動機の指定手段により指定されたデータを前記第１の通信網を経由して受信する受信処理とを移動機に実行させる。
【００１７】
これらの発明によれば、取得対象として指定されたデータ（データファイルを含む）は、第１の通信網が検出されたことを契機として、第１の通信網を経由して送信される。すなわち、移動機のユーザが所望するデータに関して、指定された時点においては第１の通信網との接続が依然確立されておらずサーバ装置からの受信が不可能な状態にあったとしても、移動機の移動や電界強度の上昇に伴って第１の通信網との接続が確立され受信が可能になることがある。かかる通信状態の変化を移動機が検知すると、指定されたデータの受信が第１の通信網経由で即時に要求される。その結果、移動機が、通信網との通信を確立した際にデータの受信を迅速に行うことが可能となる。
【００１８】
本発明に係る移動機においては、前記検出手段により前記第１の通信網が所定時間内に検出されなかった場合に、前記第１の通信網とは異なる第２の通信網に当該移動機の接続先を切り替える切替手段と、前記切替手段による切替先である前記第２の通信網を経由して前記データを受信する第２の受信手段とを更に備えるものとしもよい。
【００１９】
上述した通信制御方法においては、前記検出ステップにて前記第１の通信網が所定時間内に検出されなかった場合に、前記移動機が、前記第１の通信網とは異なる第２の通信網に当該移動機の接続先を切り替える切替ステップと、前記移動機が、前記切替ステップにおける切替先である前記第２の通信網を経由して前記データを受信する第２の受信ステップとを更に含むものとしもよい。
【００２０】
これらの発明によれば、第１の通信網が所定時間内に検出されなかった場合には移動機の接続先の網は第２の通信網に切り替えられ、指定されたデータは、この第２の通信網経由で受信される。すなわち、受信対象となるデータに関して、指定された時点から所定時間経過するまでの間は第１の通信網との接続が確立されておらず受信が不可能な状態にあったとしても、第２の通信網への接続先の切替えに伴って第２の通信網との接続が確立され受信が可能になることがある。かかる状態の変化を移動機が検知すると、指定されたデータの受信が第２の通信網経由で即時に要求される。つまり、移動機は、状況に応じて、第２の通信網を補完的に使用することで、迅速なデータ受信をより確実に行うことが可能となる。
【００２１】
本発明に係る移動機において、移動機がデータの送信又は受信に使用する通信網は、例えば無線通信網である。
本発明に係る通信制御方法において、移動機がデータの送信又は受信に使用する通信網は、例えば無線通信網である。
【００２２】
本発明に係る移動機において、例えば、前記第１の通信網は無線ＬＡＮであり、前記第２の通信網は移動体通信網である。
本発明に係る通信制御方法において、例えば、前記第１の通信網は無線ＬＡＮであり、前記第２の通信網は移動体通信網である。
【００２３】
ここで、無線ＬＡＮは、無線通信によりデータを送受信するＬＡＮ（Ｌｏｃａｌ  Ａｒｅａ  Ｎｅｔｗｏｒｋ）であれば足り、ＩＥＥＥ８０２．１１に準拠したものに限らない。例えば、Ｂｌｕｅｔｏｏｔｈ（登録商標）やＩｒＤＡ（Ｉｎｆｒａｒｅｄ  Ｄａｔａ  Ａｓｓｏｃｉａｔｉｏｎ）を利用して無線通信を行うＬＡＮをも含む。
【００２４】
基地局を経由する移動体通信（例えば携帯電話網を使用した通信）は、一般的に、無線ＬＡＮと比較して低速である反面、移動機が利用可能な地理的範囲は屋内屋外を問わず広域である。これに対して、無線ＬＡＮは、移動体通信と比較して、現時点では移動機が利用可能な地理的範囲が狭い反面、高速通信が可能である。これらの発明によれば、例えば、無線ＬＡＮを使用しても安定した通信が可能なエリアに移動機が在圏する場合には、移動機は、より高速大容量なデータ送信又は受信が可能である無線ＬＡＮを使用し、それ以外のエリアでは移動体通信網を使用するといった選択が可能である。したがって、可能な限り高速性を維持しつつ、広範囲において迅速なデータの送受信が可能となる。
【００２５】
【発明の実施の形態】
（第１の実施形態）
以下、例示のみの為に添付された図面を参照しながら、本発明の第１の実施形態について説明する。
まず、本実施形態におけるデータ送信システムの構成について説明する。図１は、本実施の形態におけるデータ送信システム１の全体構成を示す図である。図１に示す様に、データ送信システム１は、移動機１０とメールサーバ１００とを備えて構成される。
【００２６】
移動機１０は、基地局又はアクセスポイント、及び通信網Ｎを経由して、メールサーバ１００との間で、双方向に各種データの送受信が可能となっている。アクセスポイントＡは無線ＬＡＮに接続されたアクセスポイントであり、基地局Ｂは携帯電話網に接続された基地局である。移動機１０は、携帯電話網及び無線ＬＡＮの何れにも対応したデュアルネットワーク端末であり、後述の通信部を使用して、アクセスポイントＡ及び基地局Ｂとの間で無線通信が可能である。
【００２７】
無線ＬＡＮは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）により策定されたＩＥＥＥ  ８０２．１１ｂに準拠したデータ無線通信規格である。また、携帯電話網は、携帯電話によるデータ通信を可能とするネットワークである。かかる携帯電話は、その通信方式はもとより、接続事業者（キャリア）やメーカ等を問うものではない。携帯電話の通信方式は、例えば、第三世代通信方式としてのＣＤＭＡ（Ｃｏｄｅ  Ｄｉｖｉｓｉｏｎ  Ｍｕｌｔｉｐｌｅ  Ａｃｃｅｓｓ）、あるいはＰＤＣ（Ｐｅｒｓｏｎａｌ  Ｄｉｇｉｔａｌ  Ｃｅｌｌｕｌａｒ）方式、アナログ方式である。
【００２８】
移動機１０は、機能的には、電子メール作成部１１と、送信トレイ１２（格納手段に対応）と、無線ＬＡＮ電波測定部１３と、携帯電話網電波測定部１４と、検出時間設定部１５と、無線通信網検出部１６（検出手段に対応）と、無線通信網切替部１７（切替手段に対応）と、無線ＬＡＮ通信部１８（第１の送信手段に対応）と、携帯電話網通信部１９（第２の送信手段に対応）とを備えて構成される。
【００２９】
ここで、移動機１０における上述の機能的構成要素と、ハードウェアの構成要素との対応関係を以下に示す。電子メール作成部１１と検出時間設定部１５とは、文字や数字の入力が可能なハードウェア（操作ボタンやダイヤル）に対応する。送信トレイ１２は、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の内蔵メモリに対応する。その他の構成要素である無線ＬＡＮ電波測定部１３と、携帯電話網電波測定部１４と、無線通信網検出部１６と、無線通信網切替部１７と、無線ＬＡＮ通信部１８と、携帯電話網通信部１９とは、上記内蔵メモリに格納されたソフトウェアがＣＰＵ（Ｃｅｎｔｒａｌ  Ｐｒｏｃｅｓｓｉｎｇ
Ｕｎｉｔ）によって実行されることにより実現する。
【００３０】
以下、移動機１０の各構成要素について詳細に説明する。
電子メール作成部１１は、移動機１０のユーザによる入力操作に従って、送信対象となる電子メールＥ（データに対応）を作成する。
送信トレイ１２は、電子メール作成部１１により作成された電子メールＥをその宛先アドレスと共に格納する。
【００３１】
無線ＬＡＮ電波測定部１３は、無線ＬＡＮ用のアクセスポイントＡから受信される電波の強度（電界強度）を常時測定し、測定結果を無線通信網検出部１６に出力する。
携帯電話網電波測定部１４は、携帯電話網用の基地局Ｂから受信される電波の強度（電界強度）を常時測定し、測定結果を無線通信網検出部１６に出力する。
なお、電界強度の測定に関しては、移動機１０が自ら測定する態様に限らず、基地局又はアクセスポイントから送信される報知情報から、各網に応じた電界強度のデータを取得するものとしてもよい。
【００３２】
検出時間設定部１５は、移動機１０のユーザによる入力操作に従って、無線ＬＡＮの検出時間の上限値を設定する。ここで、無線ＬＡＮ（第１の無線通信網に対応）の検出とは、無線ＬＡＮ電波測定部１３により測定された電界強度が所定の閾値を超えたことにより、無線ＬＡＮを利用した電子メールＥの送信が可能になったことを移動機１０が認識することである。
【００３３】
同様に、携帯電話網（第２の無線通信網に対応）の検出とは、無線ＬＡＮの検出に失敗した場合に、携帯電話網電波測定部１４により測定された電界強度が所定の閾値を超えたことにより、携帯電話網を利用した電子メールＥの送信が可能になったことを移動機１０が認識することである。なお、移動機１０のユーザによる検出時間の指示入力が無い場合には、検出時間設定部１５は、無線ＬＡＮの検出時間の上限値として、例えば１０秒程度の初期値を設定する。
【００３４】
無線通信網検出部１６は、先ず、無線ＬＡＮの検出を試行しつつ、試行開始からの経過時間を計時する。検出時間設定部１５により設定された検出時間の上限値に経過時間が達するまでに無線ＬＡＮが検出された場合には、無線通信網検出部１６は、無線ＬＡＮ通信部１８に対して、送信トレイ１２内の電子メールＥの送信を指示する。これに対して、検出時間設定部１５により設定された上記上限値に経過時間が達するまでに無線ＬＡＮが検出されなかった場合には、無線通信網検出部１６は、無線ＬＡＮの検出に失敗したものと判断し、無線通信網切替部１７に対して、電子メールＥの送信に使用する無線通信網の切替えを指示する。
【００３５】
無線通信網切替部１７は、無線通信網検出部１６から無線通信網の切替えが指示されると、携帯電話網通信部１９に対して、送信トレイ１２に格納されている電子メールＥの送信を指示する。このとき、無線通信網切替部１７は、電子メールＥの送信が携帯電話網通信部１９に指示された旨、つまり無線通信網が切り替えられた旨を無線ＬＡＮ通信部１８に通知するようにしてもよい。
【００３６】
無線ＬＡＮ通信部１８は、無線通信網検出部１６により電子メールＥの送信が指示されたことを契機として、送信トレイ１２から電子メールＥを取得し、無線ＬＡＮのチャネルを介してアクセスポイントＡに送信する。
【００３７】
携帯電話網通信部１９は、無線通信網切替部１７により電子メールＥの送信が指示されたことを契機として、送信トレイ１２から電子メールＥを取得し、携帯電話網の無線チャネルを介して基地局Ｂに送信する。
【００３８】
メールサーバ１００は、ＳＭＴＰ（Ｓｉｍｐｌｅ  Ｍａｉｌ  Ｔｒａｎｓｆｅｒ  Ｐｒｏｔｏｃｏｌ）に対応した周知慣用のサーバ装置である。メールサーバ１００は、移動機１０から相手端末（図示せず）宛に送信された電子メールＥを、アクセスポイントＡ又は基地局Ｂ、及び通信網Ｎ経由で受信する。受信された電子メールＥは、メールサーバ１００の有する格納手段に一旦蓄積される。その後、蓄積された電子メールＥは、要求に応じて、その宛先アドレスにより特定される相手端末宛に転送される。
【００３９】
次に、データ送信システム１の動作について説明し、併せて、本発明に係る通信制御方法を構成する各ステップについて説明する。図２は、データ送信システム１により実行される電子メール送信処理を示すフローチャートである。
【００４０】
まず、図２のＳ１では、移動機１０の電子メール作成部１１により、ユーザによる入力操作に従って、送信対象となる電子メールＥが作成される。作成された電子メールＥは、送信トレイ１２に保存される（Ｓ２）。
【００４１】
Ｓ３では、移動機１０の検出時間設定部１５により、ユーザによる入力操作に従って、無線ＬＡＮの検出時間の上限値が設定される。この上限値は、移動機１０の周辺環境や移動状態などによって異なるが、電子メール送信の即時性を高める観点から、無線ＬＡＮを有効に検出可能な範囲で短い時間であることが望ましい。具体的には２〜２０秒程度が好適である。
【００４２】
Ｓ４では、無線ＬＡＮ電波測定部１３から取得された無線ＬＡＮ電界強度をもとに、無線通信網検出部１６により無線ＬＡＮの検出が試行される。Ｓ３で設定された時間内に無線ＬＡＮが検出されると（Ｓ５；ＹＥＳ）、無線通信網検出部１６により、無線ＬＡＮ通信部１８に対して、無線ＬＡＮを利用した電子メールＥの送信が指示される（Ｓ６）。
【００４３】
このとき、無線ＬＡＮの検出に伴い、移動機１０が、無線ＬＡＮを検出した旨を移動機１０のユーザに知らせるための検出通知処理を行ってもよい。検出通知処理としては、例えば、着信音の鳴動、バイブレータの動作、ライトの点滅、ディスプレイに「無線ＬＡＮを検出しました」とのテキスト表示を行うなど、様々な態様が考えられる。
【００４４】
Ｓ７では、無線ＬＡＮ通信部１８により、移動機１０の無線接続先（アクセスポイントＡ）を識別するためのアクセスポイントＩＤ（Ａ−１）に基づく移動機１０の接続可否が確認された後、移動機１０とアクセスポイントＡとの間に無線ＬＡＮによる接続が確立される。この処理を以って、移動機１０は、無線ＬＡＮを経由したデータの送受信が可能となる。なお、移動機１０、メールサーバ１００間の通信は、高いセキュリティレベルを確保する観点から、ＶＰＮ（Ｖｉｒｔｕａｌ  Ｐｒｉｖａｔｅ  Ｎｅｔｗｏｒｋ）により確立されることが望ましい。
【００４５】
Ｓ８では、無線ＬＡＮ通信部１８により、Ｓ２で送信トレイ１２に保存された電子メールＥが取得された後、アクセスポイントＡ及び通信網Ｎを介してメールサーバ１００宛に送信される。送信完了後、無線ＬＡＮ通信部１８により、無線ＬＡＮ通信が切断（終了）される（Ｓ９）。
【００４６】
一方、Ｓ５において、Ｓ３で設定された時間内に無線ＬＡＮが検出されなかった場合には（Ｓ５；ＮＯ）、無線通信網検出部１６により、無線通信網切替部１７に対して、携帯電話網を利用した電子メールＥの送信が指示される（Ｓ１０）。当該指示を受けて、Ｓ１１では、無線通信網切替部１７により、電子メールＥの送信に使用される無線通信網が無線ＬＡＮから携帯電話網に切り替えられる。
【００４７】
Ｓ１２では、携帯電話網通信部１９により、移動機１０の無線接続先（基地局Ｂ）を識別するための基地局ＩＤ（Ｂ−１）に基づく移動機１０の接続可否が確認された後、移動機１０と基地局Ｂとの間に携帯電話網による接続が確立される。この処理を以って、移動機１０は、携帯電話網を経由したデータの送受信が可能となる。
【００４８】
Ｓ１３では、携帯電話網通信部１９により、Ｓ２で送信トレイ１２に保存された電子メールＥが取得された後、基地局Ｂ及び通信網Ｎを介してメールサーバ１００宛に送信される。送信完了後、携帯電話網通信部１９により、携帯電話網を介した通信が切断（終了）される（Ｓ１４）。
【００４９】
なお、本動作説明では、移動機１０が、無線ＬＡＮ又は携帯電話網の少なくとも一方の無線通信網との接続が可能な位置に存在することを前提としたが、移動機１０の位置によっては、これら何れの網とも接続できない場合も考え得る。かかる場合、すなわち、無線ＬＡＮ電波測定部１３により測定された電界強度が所定の閾値を超えず、かつ、携帯電話網電波測定部１４により測定された電界強度が所定の閾値を超えない場合には、現在位置では移動機１０は電子メールＥを送信することができない。したがって、Ｓ２で保存された電子メールＥは、未送信メールとして送信トレイ１２に継続して保存される。
【００５０】
以上説明した様に、第１の実施形態における移動機１０によれば、無線ＬＡＮを発見すると、送信用に保持されているデータの送信を開始する。すなわち、移動機１０は、電子メールＥの作成後所定時間内に無線ＬＡＮの通信圏内に移行したことに伴って無線ＬＡＮ通信が確立すると、ユーザからの送信指示を待たずに（換言すれば自動的に）、送信トレイ１２から電子メールＥを取得して送信する。また、電子メールＥの作成時から所定時間が経過したにも拘わらず無線ＬＡＮが検出されない場合には、無線ＬＡＮから携帯電話網への切替えを行い、携帯電話網経由で電子メールＥを送信する。これにより、無線ＬＡＮと携帯電話網との内、少なくとも一方の網に対応する通信エリアに移動機１０が在圏すれば、作成された電子メールを所望の宛先に簡易迅速に送信することが可能となる。したがって、送信相手への電子メールの到達が遅れたり、作成した電子メールの送信をユーザが忘れたりする懸念が解消される。
【００５１】
（第２の実施形態）
次に、図３及び図４を参照して、本発明の第２の実施形態について説明する。
まず、本実施形態と第１の実施形態との相違点について簡単に説明すると、第１の実施形態では、無線通信網の検出を契機とした処理は電子メールの送信処理であった。これに対して、本実施の形態では、無線通信網の検出を契機として、データファイル（以下単に「ファイル」と記す。）のダウンロード処理が実行される。
【００５２】
図３は、第２の実施形態における移動機２０の機能的構成を示すブロック図である。移動機２０の構成は、第１の実施形態において詳述した移動機２０の構成と類似するので、対応する構成要素には同列（末尾の数字が同一）の符合を付し、同一の機能を有する構成要素の説明は省略すると共に、第１の実施形態との差異について詳述する。
【００５３】
すなわち、移動機２０は、図３に示す様に、機能的には、ファイル指定部２１（指定手段に対応）と、データ格納部２２と、無線ＬＡＮ電波測定部２３と、携帯電話網電波測定部２４と、検出時間設定部２５と、無線通信網検出部２６（検出手段に対応）と、無線通信網切替部２７（切替手段に対応）と、無線ＬＡＮ通信部２８（第１の受信手段に対応）と、携帯電話網通信部２９（第２の受信手段に対応）とを備えて構成される。
【００５４】
無線ＬＡＮ電波測定部２３、携帯電話網電波測定部２４、検出時間設定部２５、無線通信網検出部２６、無線通信網切替部２７、無線ＬＡＮ通信部２８、携帯電話網通信部２９の各部は、第１の実施形態における移動機１０の無線ＬＡＮ電波測定部１３、携帯電話網電波測定部１４、検出時間設定部１５、無線通信網検出部１６、無線通信網切替部１７、無線ＬＡＮ通信部１８、携帯電話網通信部１９にそれぞれ相当する。
【００５５】
移動機２０に特有の構成要素であるファイル指定部２１は、機能的には、取得対象となるファイルの指定を行う。すなわち、ユーザによる入力操作に従って選択された、ダウンロードの対象となるファイルの識別情報を取得し、この識別情報を無線通信網検出部２６に出力する。ファイル指定部２１は、ハードウェアとしては、文字や数字の入力あるいは選択が可能な操作ボタンやダイヤルに対応する。上記識別情報は、ファイルサーバ２００が送信するファイルを一意に特定可能な情報であれば、そのデータ形式はファイルの属性や格納形態に応じて任意であるが、例えば、ファイルが登録されているＵＲＬ（Ｕｎｉｆｏｒｍ  Ｒｅｓｏｕｒｃｅ  Ｌｏｃａｔｏｒ）やファイル名称である。
【００５６】
データ格納部２２は、無線ＬＡＮ通信部２８又は携帯電話網通信部２９により受信されたファイルＦを識別情報と対応付けて格納する。データ格納部２２は、ハードウェアとしては、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の内蔵メモリに対応する。
【００５７】
続いて、図４を参照して、第２の実施形態における移動機２０により実行制御されるデータファイル取得処理について説明する。併せて、本発明に係る通信制御方法を構成する各ステップについて説明する。なお、データファイル取得処理は、第１の実施形態において詳述した電子メール送信処理（図２参照）と共通するステップを複数含む。具体的には、図４に示したＴ２〜Ｔ４，Ｔ６，Ｔ９，Ｔ１１，Ｔ１２，Ｔ１５は、図２に示したＳ３〜Ｓ５，Ｓ７，Ｓ９，Ｓ１１，Ｓ１２，Ｓ１４に相当する。
【００５８】
以下、データファイル取得処理に特有のステップ（図４の太線枠内に示す処理）について説明する。Ｔ１では、移動機２０のファイル指定部２１により、ユーザによる入力操作に従って、ダウンロードの対象となるファイルＦの識別情報が指定される。指定されたファイルＦの識別情報は、無線通信網検出部２６に一時的に保持される。
【００５９】
Ｔ３で設定された時間内に無線ＬＡＮが検出されると（Ｔ４；ＹＥＳ）、無線通信網検出部２６から無線ＬＡＮ通信部２８に対してファイルＦの識別情報が通知される。これにより、無線ＬＡＮを利用したファイルＦの取得が指示される（Ｔ５）。
【００６０】
無線ＬＡＮとの接続が確立すると（Ｔ６）、無線ＬＡＮ通信部２８により、Ｔ５で通知された識別情報に対応するファイルＦの取得要求が、アクセスポイントＡ及び通信網Ｎを介してファイルサーバ２００宛に送信される。この要求に応じてファイルサーバ２００から送信されたファイルＦは、無線ＬＡＮ通信部２８により受信され（Ｔ７）、受信完了後、データ格納部２２に格納される（Ｔ８）。
当該処理を以って、ファイルＦのダウンロードが完了する。
【００６１】
一方、Ｔ４において、Ｔ２で設定された時間内に無線ＬＡＮが検出されなかった場合には（Ｔ４；ＮＯ）、無線通信網検出部２６から携帯電話網通信部２９に対してファイルＦの識別情報が通知される。これにより、携帯電話網を利用したファイルＦの取得が指示される（Ｔ１０）。しかし、現時点では、無線通信網の切替えは完了していないので、携帯電話網通信部２９は、上記識別情報を保持して携帯電話網との接続確立を待機する。
【００６２】
携帯電話網への切替え及び接続が確立すると（Ｔ１１，Ｔ１２）、携帯電話網通信部２９により、Ｔ１０で通知された識別情報に対応するファイルＦの取得要求が、基地局Ｂ及び通信網Ｎを介してファイルサーバ２００宛に送信される。ファイルサーバ２００は、当該取得要求を受けると、移動機２０宛にファイルＦを送信する。送信されたファイルＦは、携帯電話網通信部２９により受信され（Ｔ１３）、受信完了後、データ格納部２２に格納される（Ｔ１４）。当該処理を以って、ファイルＦのダウンロードが完了する。
【００６３】
なお、本動作説明においても、移動機２０が、無線ＬＡＮ又は携帯電話網の少なくとも一方の無線通信網との接続が可能な位置にあることを前提としたが、移動機２０の位置によっては、これら何れの網とも接続できない場合も想定し得る。かかる場合には、現在の位置では移動機２０はファイルＦを取得できないため、Ｔ１で保持されたファイルＦの識別情報は、無線通信網検出部２６にて引き続き保持される。
【００６４】
以上説明した様に、第２の実施形態における移動機２０によれば、無線ＬＡＮを発見すると、ダウンロード対象として指定されているファイルＦの送信をファイルサーバ２００に要求する。すなわち、移動機２０は、ユーザがダウンロードを希望するファイルの指定後、所定時間内に無線ＬＡＮの通信圏内に移行したことに伴って無線ＬＡＮ通信が確立すると、ユーザからの送信指示を待たずに（自動的に）、ファイルサーバ２００からファイルＦを受信して格納する。これに対して、ファイルの指定時から所定時間が経過したにも拘わらず無線ＬＡＮが検出されない場合には、無線ＬＡＮから携帯電話網への切替えを行い、携帯電話網経由でファイルＦを受信する。これにより、無線ＬＡＮと携帯電話網との内、少なくとも一方の網に対応する通信エリアに移動機２０が在圏すれば、ファイルを簡易迅速にダウンロードすることができる。したがって、ファイルの取得が遅れる、ファイルの取得要求をし忘れるといった事態が回避される。
【００６５】
なお、本発明は、上述した第１及び第２の実施形態に記載の内容に限定されるものではなく、その趣旨を逸脱しない範囲において適宜変形態様を採ることも可能である。例えば、本実施の形態では、移動機１０，２０が接続可能な無線通信網として、携帯電話網と無線ＬＡＮとを例示した。しかし、相互に異なる無線通信網であれば、例えば携帯電話網とＰＤＣ網などの様に、携帯電話の網同士であってもよい。また、無線通信網の切替えを行う主体は、移動機自体に限らず、移動機に着脱自在に装着された通信カードであってもよい。
【００６６】
最後に、上述した通信制御技術を実現するためのプログラムについて説明する。本発明に係る通信制御プログラム３０は、無線ＬＡＮ及び携帯電話網との接続が択一的に可能な移動機１０，２０により実行可能である。図５に示す様に、通信制御プログラム３０は、磁気ディスク、光ディスクを始めとする記録媒体３内部に形成されたプログラム格納領域３ａに格納されている。通信制御プログラム３０は、メインモジュール３１と、無線ＬＡＮ電波測定モジュール３２と、携帯電話網電波測定モジュール３３と、検出時間設定モジュール３４と、無線通信網検出モジュール３５と、無線通信網切替モジュール３６と、無線ＬＡＮ通信モジュール３７と、携帯電話網通信モジュール３８とを含む。
【００６７】
メインモジュール３１は、一連の電子メール送信処理及び一連のデータファイル取得処理を統括的に制御するモジュール（構成単位）である。無線ＬＡＮ電波測定モジュール３２と、携帯電話網電波測定モジュール３３と、無線通信網検出モジュール３５と、無線通信網切替モジュール３６と、無線ＬＡＮ通信モジュール３７と、携帯電話網通信モジュール３８の各モジュールを実行させることによって実現する機能は、移動機１０，２０の有する無線ＬＡＮ電波測定部と、携帯電話網電波測定部と、無線通信網検出部と、無線通信網切替部と、無線ＬＡＮ通信部と、携帯電話網通信部の機能とそれぞれ同様である。また、検出時間設定モジュール３４を実行させることによって設定されるデータは、検出時間設定部により設定されるデータと同様である。
【００６８】
通信制御プログラム３０は、その一部若しくは全部が、通信回線等の伝送媒体を介して伝送され、他の機器により受信されて記録（インストールを含む）される構成としてもよい。
【００６９】
【発明の効果】
本発明によれば、移動機が、通信網との通信を確立した際にデータの送信又は受信を迅速に行うことが可能となる。
【図面の簡単な説明】
【図１】第１の実施形態におけるデータ送信システムの機能的構成を示すブロック図である。
【図２】第１の実施形態における移動機により実行される電子メール送信処理を説明するためのフローチャートである。
【図３】第２の実施形態におけるファイル取得システムの機能的構成を示すブロック図である。
【図４】第２の実施形態における移動機により実行されるデータファイル取得処理を説明するためのフローチャートである。
【図５】記録媒体に格納されている通信制御プログラムの構成を示す図である。
【符号の説明】
１…データ送信システム、２…ファイル取得システム、１０，２０…移動機、１２…送信トレイ、１６，２６…無線通信網検出部、１７，２７…無線通信網切替部、１８，２８…無線ＬＡＮ通信部、１９，２９…携帯電話網通信部、２１…ファイル指定部、１００…メールサーバ、２００…ファイルサーバ
【図１】
2004254115.tif 000003
【図２】
2004254115.tif 000004
【図３】
2004254115.tif 000005
【図４】
2004254115.tif 000006
【図５】
2004254115.tif 000007